(57)【要約】【課題】  ディスクのスピンアップ中の待ち時間を短縮することのできるディスク装置を提供すること。【解決手段】  トレイが閉じられた場合に、ディスクに予め格納された所定のディスク情報をメモリに退避しておく。電源が投入された場合に、メモリに所定の情報が記憶されているか否かを判断する（ステップＳ２２）。所定の情報が記憶されていると判断された場合に（ステップＳ２２においてＹＥＳ）、メモリから所定の情報を取得し（ステップＳ２４）、取得された所定の情報の解析を行なう（ステップＳ３２）。【選択図】        図４
2006172616.tif 000002
【特許請求の範囲】
【請求項１】
ユーザからの指示の入力を受け付けるための入力手段と、
データを受信するためのデータ受信手段と、
ディスクを挿入するためのトレイが閉じられた場合に、前記ディスクが挿入されたか否かを判断するための第１の判断手段と、
前記第１の判断手段により前記ディスクが挿入されていると判断された場合に、前記ディスクの所定の情報を読み出すための第１の読み出し手段と、
前記第１の読み出し手段により読み出された前記所定の情報を記憶するための記憶手段と、
前記入力手段により電源投入の指示を受け付けた場合に、前記ディスクのスピンアップ処理を行なうためのスピンアップ実行手段とを備え、
前記スピンアップ実行手段は、
前記記憶手段に前記所定の情報が記憶されているか否かを判断するための第２の判断手段と、
前記第２の判断手段により前記所定の情報が記憶されていると判断された場合に、前記記憶手段から前記所定の情報を読み出すための第２の読み出し手段と、
前記第２の判断手段により前記所定の情報が記憶されていないと判断された場合には、前記ディスクが挿入されているか否かを判断するための第３の判断手段と、
前記第３の判断手段により前記ディスクが挿入されていると判断された場合に、前記ディスクから前記所定の情報を読み出すための第３の読み出し手段と、
前記第２および第３の読み出し手段により読み出された前記所定の情報の解析を行なうための解析手段とを含み、
前記解析手段による解析結果に基づいて、前記ディスクに格納されたデータを再生するための再生手段と、
前記解析手段による解析結果に基づいて、前記データ受信手段により受信される前記データを前記ディスクに書き込むための録画手段と、
前記トレイが開けられた場合に、前記記憶手段に前記所定の情報が存在するか否かを判断するための第４の判断手段と、
前記第４の判断手段により前記所定の情報が存在すると判断された場合に、前記所定の情報を前記記憶手段から消去するための消去手段とをさらに備える、ディスク装置。
【請求項２】
ユーザからの指示の入力を受け付けるための入力手段と、
ディスクに予め格納された所定の情報を記憶するための記憶手段と、
前記入力手段により電源投入の指示を受け付けた場合に、前記ディスクのスピンアップ処理を行なうためのスピンアップ実行手段とを備え、
前記スピンアップ実行手段は、
前記記憶手段に前記所定の情報が記憶されているか否かを判断するための第１の判断手段と、
前記第１の判断手段により前記所定の情報が記憶されていると判断された場合に、前記記憶手段から前記所定の情報を取得するための取得手段と、
前記取得手段により取得された前記所定の情報の解析を行なうための解析手段とを含み、
前記解析手段による解析結果に基づいて、前記ディスクに格納されたデータを再生するための再生手段をさらに備える、ディスク装置。
【請求項３】
データを受信するためのデータ受信手段と、
前記解析手段による解析結果に基づいて、前記データ受信手段により受信される前記データを前記ディスクに書き込むための録画手段とをさらに備える、請求項２に記載のディスク装置。
【請求項４】
前記ディスクを挿入するためのディスク挿入口が閉じられた場合に、前記ディスクが挿入されたか否かを判断するための第２の判断手段と、
前記第２の判断手段により前記ディスクが挿入されていると判断された場合に、前記ディスクの前記所定の情報を読み出すための読み出し手段と、
前記読み出し手段により読み出された前記所定の情報を前記記憶手段に書き込むための書き込み手段とをさらに備える、請求項２に記載のディスク装置。
【請求項５】
前記ディスクを挿入するためのディスク挿入口が開けられた場合に、前記記憶手段に前記所定の情報が存在するか否かを判断するための第３の判断手段と、
前記第３の判断手段により前記所定の情報が存在すると判断された場合に、前記所定の情報を前記記憶手段から消去するための消去手段とをさらに備える、請求項２に記載のディスク装置。
【請求項６】
前記スピンアップ実行手段は、
前記第１の判断手段により前記所定の情報が記憶されていないと判断された場合には、前記ディスクが挿入されているか否かを判断するための第４の判断手段と、
前記第４の判断手段により前記ディスクが挿入されていると判断された場合に、前記ディスクから前記所定の情報を読み出すための読み出し手段とをさらに含み、
前記解析手段は、前記読み出し手段により読み出された前記所定の情報の解析を行なう、請求項２に記載のディスク装置。
【発明の詳細な説明】
【技術分野】
【０００１】
本発明は、ディスク装置に関し、特に、ディスクに映像・音声データを記録および／または再生が可能なディスク装置に関する。
【背景技術】
【０００２】
従来より、ＣＤ（Compact Disc）やＤＶＤ（Digital Versatile Disc）などのディスク起動時に生じる待ち時間を短縮するための提案がなされている。
【０００３】
たとえば、特許文献１では、記録の可能性が高いディスクのスピンアップ完了後にホストコンピュータにディスク情報を返送しておく。これにより、記録可能なディスクの挿入時に、ディスクの認識時間を短縮することが可能となる。
【０００４】
また、特許文献２では、光ディスクに記録された情報信号の再生指令を受信した場合、再生系の最適化を行なった後、記録系の最適化と並行して、光ディスクに記録された情報信号を記憶部に格納する。これにより、記録系の最適化終了と同時に実再生を行なうことができ、光ディスク装置の起動から実再生動作までに要する時間を短縮することができる。
【０００５】
特許文献３では、ホストコンピュータの外部記憶装置として用いられるディスク記録再生装置において、記録開始待ち時間を決定する機能を有し、記録開始待ち時間の短縮を実現する技術が開示されている。
【特許文献１】特開２００３−８５８８２号公報
【特許文献２】特開２００４−２２７６１５号公報
【特許文献３】特開２００２−３４２９３６号公報
【発明の開示】
【発明が解決しようとする課題】
【０００６】
しかしながら、上記特許文献１〜３は、ディスクの認識からディスク情報の解析に至るまでのスピンアップによる待ち時間を短縮するものではない。
【０００７】
本発明は、上記のような問題を解決するためになされたものであって、その目的は、ディスクのスピンアップ中の待ち時間を短縮することのできるディスク装置を提供することである。
【課題を解決するための手段】
【０００８】
この発明のある局面に従うディスク装置は、ユーザからの指示の入力を受け付けるための入力手段と、データを受信するためのデータ受信手段と、ディスクを挿入するためのトレイが閉じられた場合に、ディスクが挿入されたか否かを判断するための第１の判断手段と、第１の判断手段によりディスクが挿入されていると判断された場合に、ディスクの所定の情報を読み出すための第１の読み出し手段と、第１の読み出し手段により読み出された所定の情報を記憶するための記憶手段と、入力手段により電源投入の指示を受け付けた場合に、ディスクのスピンアップ処理を行なうためのスピンアップ実行手段とを備える。スピンアップ実行手段は、記憶手段に所定の情報が記憶されているか否かを判断するための第２の判断手段と、第２の判断手段により所定の情報が記憶されていると判断された場合に、記憶手段から所定の情報を読み出すための第２の読み出し手段と、第２の判断手段により所定の情報が記憶されていないと判断された場合には、ディスクが挿入されているか否かを判断するための第３の判断手段と、第３の判断手段によりディスクが挿入されていると判断された場合に、ディスクから所定の情報を読み出すための第３の読み出し手段と、第２および第３の読み出し手段により読み出された所定の情報の解析を行なうための解析手段とを含む。ディスク装置は、解析手段による解析結果に基づいて、ディスクに格納されたデータを再生するための再生手段と、解析手段による解析結果に基づいて、データ受信手段により受信されるデータをディスクに書き込むための録画手段と、トレイが開けられた場合に、記憶手段に所定の情報が存在するか否かを判断するための第４の判断手段と、第４の判断手段により所定の情報が存在すると判断された場合に、所定の情報を記憶手段から消去するための消去手段とをさらに備える。
【０００９】
この発明の他の局面に従うディスク装置は、ユーザからの指示の入力を受け付けるための入力手段と、ディスクに予め格納された所定の情報を記憶するための記憶手段と、入力手段により電源投入の指示を受け付けた場合に、ディスクのスピンアップ処理を行なうためのスピンアップ実行手段とを備え、スピンアップ実行手段は、記憶手段に所定の情報が記憶されているか否かを判断するための第１の判断手段と、第１の判断手段により所定の情報が記憶されていると判断された場合に、記憶手段から所定の情報を取得するための取得手段と、取得手段により取得された所定の情報の解析を行なうための解析手段とを含み、解析手段による解析結果に基づいて、ディスクに格納されたデータを再生するための再生手段をさらに備える。
【００１０】
好ましくは、データを受信するためのデータ受信手段と、解析手段による解析結果に基づいて、データ受信手段により受信されるデータをディスクに書き込むための録画手段とをさらに備える。
【００１１】
好ましくは、ディスクを挿入するためのディスク挿入口が閉じられた場合に、ディスクが挿入されたか否かを判断するための第２の判断手段と、第２の判断手段によりディスクが挿入されていると判断された場合に、ディスクの所定の情報を読み出すための読み出し手段と、読み出し手段により読み出された所定の情報を記憶手段に書き込むための書き込み手段とをさらに備える。
【００１２】
好ましくは、ディスクを挿入するためのディスク挿入口が開けられた場合に、記憶手段に所定の情報が存在するか否かを判断するための第３の判断手段と、第３の判断手段により所定の情報が存在すると判断された場合に、所定の情報を記憶手段から消去するための消去手段とをさらに備える。
【００１３】
好ましくは、スピンアップ実行手段は、第１の判断手段により所定の情報が記憶されていないと判断された場合には、ディスクが挿入されているか否かを判断するための第４の判断手段と、第４の判断手段によりディスクが挿入されていると判断された場合に、ディスクから所定の情報を読み出すための読み出し手段とをさらに含み、解析手段は、読み出し手段により読み出された所定の情報の解析を行なう。
【発明の効果】
【００１４】
本発明によると、ディスク装置のトレイが閉じられ場合に、挿入されているディスクの所定の情報を読み出してメモリに記憶させておく。したがって、電源投入の指示を受け付けた場合、メモリに記憶された所定の情報を取得して解析することにより、スピンアップ中の待ち時間を短縮することが可能となる。
【発明を実施するための最良の形態】
【００１５】
本発明の実施の形態について図面を参照しながら詳細に説明する。なお、図中同一または相当部分には同一符号を付してその説明は繰返さない。
【００１６】
図１を参照して、本発明の実施の形態に係るディスク装置の一態様であるＤＶＤレコーダ１００について説明する。図１は、ＤＶＤレコーダ１００のハードウェア構成を表わすブロック図である。
【００１７】
ＤＶＤレコーダ１００は、データを格納するためのメモリ１１２と、格納されているデータおよび外部から入力される指示に基づいて予め定められた処理を実行するためのシステム制御回路１１０と、外部からユーザの指示の入力を受付けるための操作部１２２と、リモコン信号を受信して所定の制御信号をシステム制御回路１１０に出力するための受光部１２４と、時刻を計測して信号をシステム制御回路１１０に出力するための計時回路１２６と、ＤＶＤレコーダ１００の作動状態を表わす情報を表示するための表示部１２８とを含む。なお、表示部１２８に表示される作動状態とは、たとえば、ＤＶＤレコーダにおける時刻情報、番組の録画状態等である。
【００１８】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御回路１１０からの指示に基づいてデジタルデータを格納するためのハードディスク装置１４０と、ディスク記録媒体であるＤＶＤ１７２を駆動して、映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、テレビ４００に映像音声信号を出力するための出力部１６８とを含む。ＤＶＤレコーダ１００は、伝送ケーブル１９２を介してテレビ４００に接続される。ハードディスク装置１４０は、データの記録と再生を行なうデータ記録再生ヘッド１４２と、データが格納されるハードディスク１４４とを含む。
【００１９】
なお、本発明の実施の形態にかかるディスク装置としてＤＶＤ駆動装置１７０とハードディスク装置１４０とを内蔵するＤＶＤレコーダ１００を用いて説明するが、ＤＶＤ駆動装置１７０だけであってもよい。また、ＤＶＤプレーヤやＣＤプレーヤなど、再生のみ可能なディスク装置であってもかまわない。ＣＤプレーヤの場合、ＣＤに格納されるデータは音声データのみでもよい。
【００２０】
通常、このようなＤＶＤレコーダ１００などのディスク装置において、電源が投入されると、ＤＶＤ１７２に記録された映像音声データの再生や、録画が可能（以下「再生・録画可能状態」という）となるまでに、スピンアップによる待ち時間が生じる。
【００２１】
ここで、電源投入後のスピンアップによる待ち時間とは次の処理に要する時間をいうものとする。
【００２２】
（１）ディスクの認識、
（２）ディスク内の所定の情報（以下「ディスク情報」という）の読み出し、
（３）ディスク情報の解析。
【００２３】
上記（１）〜（３）の処理を経ることにより、再生・録画可能状態となる。
【００２４】
上記（１）の処理は、ディスクが入っているか否か、ディスクの種類が何であるか（ＣＤであるかＤＶＤであるか）を判断する。上記（２）の処理は、ディスクに予め記録された、ディスクのシリアルナンバー、タイトル数、それぞれの位置情報、チャプタ画像のアドレスなどを読み出す。このような情報は、再生や録画のために必要な情報（必要最小限の情報）である。また、上記（３）の処理は、（２）の処理で読み出したディスク情報を解析する。これにより、たとえば、ディスク全体の再生時間、ディスクの空き容量などが分かる。
【００２５】
上記（１）〜（２）の処理は、ディスクが回転し始めてからディスク情報が読み出せるまでに、通常４〜５秒要する。
【００２６】
本発明の実施の形態に係るＤＶＤレコーダ１００は、電源投入後において、上記（１）および（２）の処理中の待ち時間を短縮する。以下、図２〜図４を用いて、本発明の実施の形態に係るＤＶＤレコーダ１００のシステム制御回路１１０が実行する処理について説明する。
【００２７】
図２は、本発明の実施の形態に係るＤＶＤレコーダ１００におけるシステム制御回路１１０が実行するトレイクローズの処理の流れを示すフローチャートである。この処理は、たとえばユーザが操作部１２２を操作してトレイクローズの指示が入力された場合に、システム制御回路１１０により実行される処理である。
【００２８】
図２を参照して、はじめにシステム制御回路１１０は、ＤＶＤ駆動装置１７０に制御信号を送信して、トレイをクローズさせる（ステップＳ１）。次に、システム制御回路１１０は、トレイにディスクが挿入されているか否かを判断する（ステップＳ２）。ステップＳ２において、ディスクが挿入されていると判断した場合、ステップＳ４に進む。一方、ステップＳ２において、ディスクが挿入されていないと判断した場合には、この処理を終了する。
【００２９】
ステップＳ４において、システム制御回路１１０は、ＤＶＤ駆動装置１７０を駆動させて、ＤＶＤ１７２に予めテーブル形式で記録された上記ディスク情報を読み出す。次に、システム制御回路１１０は、読み出したディスク情報のテーブルを、たとえばメモリ１１２内の図示しない不揮発性メモリ（以下単にメモリ１１２」と略す）に退避して（ステップＳ６）、この処理を終了する。
【００３０】
なお、ディスク情報は、不揮発性のメモリであれば、メモリ１１２以外のメモリ、たとえばハードディスク１４４に記憶することとしてもよい。
【００３１】
また、ディスク挿入口がトレイでない場合には、たとえば、ステップＳ１の処理を行なわずにステップＳ２〜Ｓ４の処理を行なうこととしてもよい。
【００３２】
このように、本発明の実施の形態に係るＤＶＤレコーダ１００においては、ＤＶＤ駆動装置１７０のトレイ（図示せず）が閉じられたときに、予め必要最小限のディスク情報をメモリ１１２に退避しておく。したがって、メモリ１１２には、ディスクのシリアルナンバー、タイトル数、それぞれの位置情報、チャプタ画像のアドレスなどの情報が格納される。
【００３３】
図３は、本発明の実施の形態に係るＤＶＤレコーダ１００におけるシステム制御回路１１０が実行するトレイオープンの処理の流れを示すフローチャートである。この処理は、たとえばユーザが操作部１２２を操作してトレイオープンの指示が入力された場合に、システム制御回路１１０により実行される処理である。
【００３４】
図３を参照して、はじめにシステム制御回路１１０は、ＤＶＤ駆動装置１７０に制御信号を送信して、トレイをオープンさせる（ステップＳ１１）。次に、システム制御回路１１０は、メモリ１１２にディスク情報が存在するか否かを判断する（ステップＳ１２）。ステップＳ１２において、ディスク情報が存在すると判断した場合には、ステップＳ１４に進む。一方、ステップＳ１２において、ディスク情報が存在しないと判断した場合には、この処理を終了する。
【００３５】
なお、ディスク挿入口がトレイでない場合には、たとえば、ステップＳ１１の処理を行なわず、ディスクが排出されたことを検知することによりステップＳ１２およびＳ１４の処理を行なうこととしてもよい。
【００３６】
ステップＳ１４において、システム制御回路１１０は、ディスク情報をメモリ１１２から消去して、この処理を終了する。
【００３７】
このようにすることにより、トレイが閉じられてから開けられるまでの間に挿入されているＤＶＤ１７２のディスク情報を、メモリ１１２に記憶させておくことができる。
【００３８】
次に、図４のフローチャートを用いて、ユーザにより電源が投入された場合の処理について説明する。図４は、本発明の実施の形態に係るＤＶＤレコーダ１００のシステム制御回路１１０が実行する、電源投入時の処理の流れを示すフローチャートである。この処理は、たとえばユーザが操作部１２２を操作して電源オンの指示が入力されてシステム制御回路１１０に電力が供給された後に、システム制御回路１１０により実行される処理である。
【００３９】
図４を参照して、はじめに、システム制御回路１１０は、ディスク情報がメモリ１１２にあるか否かを判断する（ステップＳ２２）。ディスク情報がメモリ１１２にあると判断した場合には、システム制御回路１１０は、メモリ１１２からディスク情報を取得する（ステップＳ２４）。
【００４０】
次に、システム制御回路１１０は、ディスク情報に含まれるシリアルナンバーが挿入されているＤＶＤ１７２のシリアルナンバーと一致するか否かを判断する（ステップＳ２６）。シリアルナンバーが一致していると判断した場合に（ステップＳ２６においてＹＥＳ）、ステップＳ３２へ進む。シリアルナンバーが一致していないと判断した場合に（ステップＳ２６においてＮＯ）、図２に示したトレイクローズの処理のステップＳ２へ処理を移行する。
【００４１】
一方、ステップＳ２２において、ディスク情報がメモリ１１２にないと判断した場合には（ステップＳ２２においてＮＯ）、システム制御回路１１０は、ディスク（ＤＶＤ１７２）が挿入されているか否かを判断する（ステップＳ２８）。この処理は、上記（１）に対応する処理である。
【００４２】
ステップＳ２８において、ディスク（ＤＶＤ１７２）が挿入されていると判断された場合には（ステップＳ２８においてＹＥＳ）、システム制御回路１１０は、ＤＶＤ駆動装置１７０を駆動させて挿入されているＤＶＤ１７２のディスク情報を読み出す（ステップＳ３０）。この処理は、上記（２）に対応する処理である。ステップＳ２８において、ディスク（ＤＶＤ１７２）が挿入されていないと判断された場合には（ステップＳ２８においてＮＯ）、この処理を終了する。
【００４３】
ステップＳ３０の処理が終了すると、ステップＳ３２に進む。
【００４４】
ステップＳ３２において、システム制御回路１１０は、ステップＳ２４で取得したディスク情報またはステップＳ３０で読み出したディスク情報の解析を行なう。この処理は、上記（３）に対応する処理である。ステップＳ３２の処理が終了すると、システム制御回路１１０は、再生・録画可能状態となったことを検知する（ステップＳ３４）。以上でこの処理を終了する。
【００４５】
本発明の実施の形態に係るＤＶＤレコーダ１００は、図２に示したトレイクローズの処理において、予めＤＶＤ１７２のディスク情報をメモリ１１２に退避している（ステップＳ６参照）。したがって、電源が投入された後、メモリ１１２にディスク情報が存在すれば、上記（１）および（２）（ステップＳ２８およびＳ３０）を省略することができる。これにより、一度、メモリ１１２にディスク情報が格納されれば、直接ＤＶＤ１７２からディスク情報を読み出すよりも高速に再生・録画可能状態に移行することができる。
【００４６】
なお、電源投入時に図２に示したトレイクローズの処理が実行されていない場合には、上記（１）および（２）（ステップＳ２８およびＳ３０）の処理が実行される。
【００４７】
また、図２のステップＳ６においてメモリ１１２に退避させておく情報は、再生・記録のために必要最小限のデータであるので、メモリ１１２の負担も殆どかからずに、スピンアップ中の待ち時間を短縮することができる。
【００４８】
また、図４のステップＳ２６において、ディスク情報に含まれるシリアルナンバーが一致するかを確認する。この処理は、図３に示したようなトレイオープンの処理を経ずにイレギュラーにトレイが開けられた場合などを考慮して設けられる。これにより、メモリ１１２に退避されたディスク情報と実際に挿入されているＤＶＤ１７２のディスク情報との整合性を保つことができる。
【００４９】
もしも、図４のステップＳ２６においてシリアルナンバーが一致しなければ、図２のステップＳ２においてディスクが挿入されているか否かを判断する。ディスクが挿入されていれば（ステップＳ２においてＹＥＳ）、挿入されているＤＶＤ１７２のディスク情報を読み出す（ステップＳ４）。そして、読み出したディスク情報をメモリ１１２に上書きして退避する（ステップＳ６）。その後は、たとえば、再び図４のステップＳ２２に処理を移行してもよいし、処理を終了してもよい。また、ステップＳ２においてディスクが挿入されていなければ、処理を終了する。
【００５０】
なお、このステップＳ２６に示す処理は、省略することとしてもかまわない。また、ディスク情報の整合性がとれれば、シリアルナンバー以外の情報により整合性を判断することとしてもかまわない。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】本発明の実施の形態に係るＤＶＤレコーダのハードウェア構成を表わすブロック図である。
【図２】本発明の実施の形態に係るＤＶＤレコーダにおけるシステム制御回路が実行するトレイクローズの処理の流れを示すフローチャートである。
【図３】本発明の実施の形態に係るＤＶＤレコーダにおけるシステム制御回路が実行するトレイオープンの処理の流れを示すフローチャートである。
【図４】本発明の実施の形態に係るＤＶＤレコーダのシステム制御回路が実行する、電源投入時の処理の流れを示すフローチャートである。
【符号の説明】
【００５３】
１００  ＤＶＤレコーダ、１１０  システム制御回路、１１２  メモリ、１１４  ＯＳＤ画像生成回路、１２２  操作部、１２４  受光部、１２６  計時回路、１２８  表示部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１７２  ＤＶＤ、１９０  アンテナ、４００  テレビ。
【図１】
2006172616.tif 000003
【図２】
2006172616.tif 000004
【図３】
2006172616.tif 000005
【図４】
2006172616.tif 000006